(57)【要約】電気通信ネットワークにおけるサービスの利用に課金を行う方法であって、電気通信ネットワークは、ネットワークを経由してマシン（ＳＥＲＶ）と通信を行う通信デバイス（ＭＯＢ）を備え、通信デバイス（ＭＯＢ）は、スマートカード（ＣＡＲ）に結合されており、スマートカード（ＣＡＲ）は、アクションを開始すること又は通信デバイスからアクションを受信することができるサービスを含み、アクションは、サービスを特定する少なくとも１つのパラメータを含み、本方法は、アクションを開始するコマンドを傍受する傍受段階と、サービスを特定する関連データ（Ａ１、Ａ２）をコマンドから抽出する抽出段階とを含むことを特徴としている。
2006507595.tif 000002
【特許請求の範囲】
【請求項１】
通信デバイス（ＭＯＢ）と通信を行うことができるスマートカード（ＣＡＲ）であって、前記スマートカードは、アクションを開始すること又は前記通信デバイスからアクションを受信することができるサービスを含み、前記アクションは、サービスを特定する少なくとも１つのパラメータ（Ａ１、Ａ２）を含み、前記スマートカードは、
アクションを開始するコマンドを傍受する傍受段階と、
サービスを特定する関連データ（Ａ１、Ａ２）を前記コマンドから抽出する抽出段階と、
を実行するようにプログラムされたマイクロコントローラを含むことを特徴とするスマートカード。
【請求項２】
前記マイクロコントローラは、前記抽出データをサーバ（ＳＥＲＶ）に送るようにプログラムされることを特徴とする請求項１に記載のスマートカード（ＣＡＲ）。
【請求項３】
前記マイクロコントローラは、前記抽出データを用いて統計的計算を行うようにプログラムされることを特徴とする請求項１に記載のスマートカード（ＣＡＲ）。
【請求項４】
電気通信ネットワークにおけるサービスの利用に課金を行う方法であって、前記電気通信ネットワークは、ネットワークを経由してマシン（ＳＥＲＶ）と通信を行う通信デバイス（ＭＯＢ）を備え、前記通信デバイス（ＭＯＢ）は、スマートカード（ＣＡＲ）に結合されており、前記スマートカード（ＣＡＲ）は、アクションを開始すること又は前記通信デバイスからアクションを受信することができるサービスを含み、前記アクションは、サービスを特定する少なくとも１つのパラメータ（Ａ１、Ａ２）を含み、本方法は、
アクションを開始するコマンドを傍受する傍受段階と、
サービスを特定する関連データ（Ａ１、Ａ２）を前記コマンドから抽出する抽出段階と、
を含むことを特徴とする方法。
【請求項５】
前記抽出データを用いて統計的計算を行うための処理段階を含む分析段階を含むことを特徴とする請求項４に記載の方法。
【請求項６】
前記傍受段階を実行するために、前記プログラムは、前記スマートカード内で生成された全ての先行のコマンドを聞くことを特徴とする請求項４に記載の方法。
【請求項７】
前記傍受段階を実行するために、前記プログラムは、前記装置から到来する全てのコマンドを聞くことを特徴とする請求項４に記載の方法。
【請求項８】
予め書式設定されたフォーマットの格納は、数学的関数を使用することにあることを特徴とする請求項５に記載の方法。
【請求項９】
前記抽出データがサーバ（ＳＥＲＶ）に送られると、前記抽出データに割り当てられたメモリ空間が解放されることを特徴とする請求項４に記載の方法。
【請求項１０】
スマートカード（ＣＡＲ）又は前記スマートカードと通信を行うことができる通信デバイス（ＭＯＢ）に格納されたコンピュータプログラム（ＥＮＧ）であって、前記スマートカード（ＣＡＲ）は、アクションを開始すること又は前記通信デバイスからアクションを受信することができるサービスを含み、前記アクションは、サービスを特定する少なくとも１つのパラメータ（Ａ１、Ａ２）を含み、前記プログラム（ＥＮＧ）は、前記プログラムが前記スマートカード又は前記携帯電話で実行される場合、
アクションを開始するコマンドを傍受する傍受段階と、
サービスを特定する関連データ（Ａ１、Ａ２）を前記コマンドから抽出する抽出段階と、
を実行するためのコード命令を含むことを特徴とするコンピュータプログラム。
【発明の詳細な説明】
【技術分野】
【０００１】
本発明は、ＳＩＭ（加入者識別モジュール）カード等の耐タンパ性（tamper resistant）デバイスに結合された通信デバイスでのサービス利用に関する統計的計算を行う方法に関する。本発明は、特に、ＳＩＭカード内に格納されたＳＩＭＴＯＯＬＫＩＴ（ＳＴＫ）アプリケーションの利用に適用される。本発明は、ＳＩＭカードに限定されるものではなく、ＳＩＭカードの利用と同様に利用される任意の新しい又は将来的な携帯型物品に拡張できる。
【０００２】
以下の説明において、本発明は、携帯電話に結合されるＳＩＭカードを例に説明されている。
【背景技術】
【０００３】
電気通信ビジネスは競争が激しい。電気通信事業者は、顧客が期待することを知るために多額の金を費やしている。電気通信事業者の戦略は、市場から顧客の行動に至る多くのパラメータに左右される。それにもかかわらず、顧客から有用かつ適切な情報を直接取得することは非常に難しい。
【０００４】
顧客又は顧客群をターゲットにして、新たな利益をもたらすことになる一連の新サービスを企画することは非常に難しくなってきている。調査コストは、高額になってきている。
【０００５】
以下のことを行うことは電気通信事業者には難しい。
−自らのＧＳＭ（グローバル・システム・フォー・モバイル・コミュニケーションズ）ネットワークを利用するコンテンツプロバイダに関する一貫性のあるデータを取得すること。
−ＳＩＭカードにおいてサービスがどのように利用されているかを知ること。
【０００６】
その結果として、事業者にとって、カスタマイズされたサービスのグローバルセットのうちのどのサービスが、顧客に提供される価値があるかを判断することは非常に難しい。
【発明の開示】
【発明が解決しようとする課題】
【０００７】
従って、本発明の１つの目的は、携帯電話又は対応するＳＩＭカードでのサービス利用に関する統計的情報を提供することである。
【課題を解決するための手段】
【０００８】
この目的を達成するために、本発明によれば、携帯電話とスマートカードとの間で転送されるコマンドを傍受する。コマンドはサービスを特定する少なくとも１つのパラメータを含み、本発明は、
所定のアクションを開始するコマンドを傍受する傍受段階と、
サービスを特定する関連データ（Ａ１、Ａ２）をコマンドから抽出する抽出段階と、
を含む。
【０００９】
以上の説明で、所定のアクションを開始するコマンドは、携帯電話又は携帯電話に結合されたカード内に格納できることが分かるであろう。
【００１０】
このようにして、該当するサービスの利用に関する統計的情報を推定するために、抽出された関連データを分析することができる。これは、各々の加入者について行うことができる。本発明により、電気通信事業者は、ターゲットとする顧客群に関するより適切な情報を取得することによって、宣伝キャンペーン予算を決めることができる。
【００１１】
本発明は、以下の例示的な説明及び添付図面を参照することで容易に理解できるであろう。
【発明を実施するための最良の形態】
【００１２】
説明を簡素化するために、図面中の同じ要素には同じ参照番号が付与してある。
【００１３】
図１は、本発明を適用できるシステムＳＹＳを示す。このシステムＳＹＳは、ＳＩＭカードＣＡＲ、携帯電話ＭＯＢ、及びＧＳＭネットワークＲＥＳを備える。また、本実施例において、このシステムは、宛先デバイスＤＥＶ（ＧＳＭネットワーク、別の携帯電話、固定回線等を経由してサービスを提供する、コンテンツプロバイダとすることもできる）、及びカードＣＡＲが収集したデータを収集するプラットフォームＳＥＲＶを備える。電気通信事業者は、例えば、このプラットフォームを管理することができる。
【００１４】
図２は、カードＣＡＲと携帯電話ＭＯＢとの間の情報の交換を示す。本実施形態によれば、カードＣＡＲは、携帯電話から提供される制御コマンドを受け取ることができることが想定されている。従って、ユーザが携帯電話ＭＯＢを用いてアクション（３Ｇサービスに加入する、コールする、ＳＭＳを送信する等）を起こしたいと思うたびに、携帯電話は、実行されたアクションに関するデータをコマンド制御ＣＣによってカードＣＡＲに供給できる。これらのコマンドＣＣは、標準化コマンドである。これらのコマンドに関する詳細な情報はＥＴＳＩ規格１１．１４及び３１．１１１を参照されたい。
【００１５】
セキュリティを高めるために、アプリケーションエンジンＥＮＧは、カードＣＡＲ内に格納されることが好ましい。このような方法で、エンジンＥＮＧによって生成された統計的情報は唯一の加入者に必ず属するようになっている。カードＥＮＧ内のアプリケーションエンジンは、カード内に格納された又は携帯電話ＭＯＢ内に格納された別のアプリケーションを妨げること、即ち、別のこれらのアプリケーションの作用を変更することはせず、エンジンＥＮＧは、傍受プログラムとして機能するだけである。エンジンＥＮＧは、単に関連データを抽出して収集するだけである。
【００１６】
従って、本実施形態によれば、
−カードＣＡＲ内のアプリケーションエンジンＥＮＧは、常に、ユーザが実行したアクションを許可することが好ましく、全てのアクションが傍受されることが好ましい。
−同様に、エンジンＥＮＧは、携帯電話ＭＯＢからカードＣＡＲへのデータ又はデータの一部を傍受することができる。
【００１７】
図３では、携帯電話ＭＯＢから到来するデータストリームＤＡＴであるコマンドを表している。本実施例において、コマンドは携帯電話から到来する。逆に、コマンドはカードＣＡＲから到来することもできる。
【００１８】
本実施例において、前述のデータストリームＤＡＲは、２つの関連データＡ１及びＡ２を含む。受信データの受信後に、エンジンＥＮＧは、関連データＡ１及びＡ２を抽出し、これらをファイルＳＴＦセットの中に含まれているファイルに格納する。本実施例において、第１の結果Ａ１は、ファイルＦ１に格納され、結果Ａ２は、ファイルＦ２に格納される。
【００１９】
図４を参照すると、関連データＡ１及びＡ２は、カードから携帯電話ＭＯＢに送信される。次に、携帯電話ＭＯＢからのメッセージは、統計サーバＳＥＲＶに送信される。このメッセージは、ＳＭＳメッセージ又はＭＭＳ等の他の同等のメッセージとすることができる。
【００２０】
次に、サーバＳＥＲＶは、データＡ１及びＡ２を受信する。本実施例において、受信データはすでにカードＣＡＲ内で分析され予め書式設定されたフォーマットになっているので、サーバＳＥＲＶは、受信データＡ１及びＡ２を直接利用することもできる。例えば、これを利用することによって、事業者は、ユーザ又はユーザ群の行動を推定することができる。
【００２１】
抽出データは、そのままメモリ内に格納されないことが好ましい。好都合には、エンジンＥＮＧは、後で分析及びデータフォーマット化を行う。エンジンＥＮＧは、抽出データのコンテンツを分析して、ことによると前の収集データＡｎを含めて統計的計算を行う。分析データのサイズは受信データよりも小さいので、この分析によって、エンジンは、カードＣＡＲ内のデータ格納量を特に小さくすることができる。
【００２２】
本実施例において、エンジンＥＮＧは、全く分析を行うことなく抽出データをサーバに送る。本実施例において、分析は、サーバＳＥＲＶ内で行われる。
【００２３】
好都合には、統計サーバＳＥＲＶは、エンジンＥＮＧ内のＳＭＳモジュールＭＯＤと通信して、カードＣＡＲからの該当メッセージＳＭＳの送信を引き起こすことができる。図５を参照すると、サーバは、カードが収集した抽出データＡｎを送るように要求するメッセージＲＥＱを送る。本実施例において、データＡ１及びＡ２の送信は、サーバＳＥＲＶの要求があり次第行われる。他の実施形態において、カードは、データＡ１及びＡ２の送信を定期的に行うことができ、この目的のために、プログラムは所定時間にカード内で起動される。
【００２４】
本実施例において、カードＣＡＲは、統計サーバＳＥＲＶのアドレスを格納する。従って、アプリケーションエンジンＥＮＧは、サーバＳＥＲＶの識別ＩＤを含むＳＭＳメッセージを送ることができる。
【００２５】
本システムでは、各々の加入者が利用するコンテンツに関する全ての情報を容易に取得できる。
【００２６】
図６は、本発明を示す第２の実施例である。第２の実施例において、カードＣＡＲは、第１の実施例のように携帯電話から提供された制御コマンドＣＣを受け取ることができないと想定されている。エンジンは、携帯電話が行った他の機能性及びコマンドに集中する必要がある。本実施例によれば、エンジンＥＮＧは、ＳＭＳカードが生成した先行の各々のコマンドを聞く。ユーザがネットワークサービスに接続する（コール、ＳＭＳ、チャンネルデータ等を介して）ことを可能にするコマンドが監視され、関連データは抽出され格納されることになる。これらのコマンドが問題なく実行された場合、統計的分析が実行され、データはサーバＳＥＲＶが検索できるようにパッケージ化される。この場合、ＳＩＭから統計サーバに情報を送る際に、第１の実施形態で説明したのと全く同じ処理を利用する。
【００２７】
図６には別個の段階１−４が示されている。
段階１：ＳＩＭカードは、標準化コマンド「ＳＥＴ  ＵＰ  ＣＡＬＬ」によってコールを行う。
段階２：コールは携帯電話ＭＯＢによって実行される。
段階３：コールは問題なく実行される。
段階４：コールが問題なく実行されたことを示すためのコマンドは、携帯電話ＭＯＢからカードＣＡＲに送られる。
【００２８】
これらの全ての段階において、プログラムＥＮＧは、スマートカード内で生成された先行の全てのコマンドを聞く。
【００２９】
ここで、主たる利点以外に、本発明は、他の利点を有することが分かる。
【００３０】
スマートカード（ＣＡＲ）は、前述の抽出データをサーバ（ＳＥＲＶ）に送るためのプログラムを有することが想定されている。これは、例えば、サーバの定期的な更新を可能にする。
【００３１】
分析段階は、統計的情報を予め書式設定されたフォーマットに変換するための処理を行う段階を含むことが想定されている。カード（ＣＡＲ）は、前述の抽出データから統計的計算を行うためのプログラムを備える。このようにして、統計サーバＳＥＲＶは、更なる計算を回避又は緩和する適切なフォーマットで情報を受信する。
【００３２】
また、傍受段階を実行するために、本プログラムは、スマートカード内で生成された全ての先行のコマンドを聞くことが想定されている。このようにして、事業者は、収集された情報がカードＣＡＲ内でのサービスの利用に関する統計的情報を提供することを確信する。同様に、エンジンＥＮＧは、デバイスから到来する全てのコマンドを傍受することもできる。
【００３３】
また、抽出情報の格納は、予め書式設定されたフォーマットで行われ、この予め書式設定を行う段階は、数学関数、例えば、平均関数又は加算等を使用する段階を含むことが想定されている。これによりカードＣＡＲのメモリ消費量を低減できる。
【００３４】
また、統計的情報が対象のエンティティに送られると、この統計的情報に割り当てられたメモリ空間は解放されることが想定されている。このようにして、解放されたメモリ空間を他のデータに割り当てることができる。この機能は、メモリ空間が非常に制限されるＳＩＭカードにおいては非常に有用である。
【００３５】
また、本発明は、前述のプログラムが前述のスマートカード又は前述の携帯電話で実行される場合、
アクションを開始するコマンドを傍受する傍受段階と、
サービスを特定する関連データを前述のコマンドから抽出する抽出段階と、
を実行するためのコード命令を含むプログラムＥＮＧに関連することが想定されている。
【図面の簡単な説明】
【００３６】
【図１】本発明を適用できるアーキテクチャの概略図である。
【図２】本発明の第１の実施形態を示す一例である。
【図３】本発明の第１の実施形態を示す一例である。
【図４】本発明の第１の実施形態を示す一例である。
【図５】携帯電話とサーバとの間の通信を示す図である。
【図６】本発明の他の例を示す図である。
【図１】
2006507595.tif 000003
【図２】
2006507595.tif 000004
【図３】
2006507595.tif 000005
【図４】
2006507595.tif 000006
【図５】
2006507595.tif 000007
【図６】
2006507595.tif 000008
【国際調査報告】
2006507595.tif 000009
2006507595.tif 000010
2006507595.tif 000011